(57)【要約】【課題】耐熱性樹脂の支持体に巻かれた誘導コイルを用いて熱定着を行う画像形成装置における支持体から揮発性有機化合物の発生を緩和させる手段の提供。【解決手段】誘導電流により発熱する中空回転体である加熱部材と、該加熱部材に対し圧接しニップ部を形成する加圧部材と、前記加熱部材に供給する磁束を発生させるために該加熱部材の内側に同心に配置された支持体にスパイラルに巻かれた誘導コイルとを有し、前記ニップ部を通過する転写材を該加熱部材からの熱で加熱する誘導加熱型の定着装置を備えた画像形成装置であって、前記誘導コイルの前記支持体は耐熱性樹脂の基体の外側の表面又は、外側及び内側の両方の表面に揮発性有機化合物（ＶＯＣ）を吸収する材料のコートをして構成されることを特徴とする画像形成装置。【選択図】        図２
2004271684.tif 000002
【特許請求の範囲】
【請求項１】
誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記誘導コイルの前記支持体は耐熱性樹脂の基体の外側の表面又は、外側及び内側の両方の表面に揮発性有機化合物（ＶＯＣ）を吸収する材料のシートを被せて構成されることを特徴とする画像形成装置。
【請求項２】
誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記誘導コイルの前記支持体は耐熱性樹脂の基体の外側の表面又は、外側及び内側の両方の表面に揮発性有機化合物（ＶＯＣ）を吸収する材料のコートをして構成されることを特徴とする画像形成装置。
【請求項３】
誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記定着装置を収納する筐体の内側の表面又は、内側及び外側の両方の表面に揮発性有機化合物（ＶＯＣ）を吸収するシートを被せたことを特徴とする画像形成装置。
【請求項４】
誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記誘導コイルの前記支持体は耐熱性樹脂の基体の外側の表面又は、外側及び内側の両方の表面に揮発性有機化合物（ＶＯＣ）を吸収する材料のシートを被せて構成されると共に、前記定着装置を収納する筐体の内側の表面又は、内側及び外側の両方の表面に揮発性有機化合物（ＶＯＣ）を吸収するシートを被せたことを特徴とする画像形成装置。
【請求項５】
誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記誘導コイルの前記支持体は耐熱性樹脂の基体の外側の表面又は、外側及び内側の両方の表面に揮発性有機化合物（ＶＯＣ）を吸収する材料のコートをして構成されると共に、前記定着装置を収納する筐体の内側の表面又は、内側及び外側の両方の表面に揮発性有機化合物（ＶＯＣ）を吸収するシートを被せたことを特徴とする画像形成装置。
【請求項６】
前記揮発性有機化合物（ＶＯＣ）を吸収する材料のシートは前記支持体に巻かれた誘導コイルの表面にも被せられることを特徴とする請求項１〜５の何れか１項に記載の画像形成装置。
【請求項７】
前記揮発性有機化合物（ＶＯＣ）を吸収する材料のシートは、ポリテトラフルオロエチレン（ＰＴＦＥ）又はパーフルオロアルコキシアルカン（ＰＦＡ）の１０〜１００μｍのシートの表面に消石灰をベースとした無機材料（固形換算：８割以上）を水性エマルション化した無機系水性塗料を塗工したものであることを特徴とする請求項１、３、４、５、６の何れか１項に記載の画像形成装置。
【発明の詳細な説明】
【０００１】
【発明の属する技術分野】
本発明は加熱源として誘導コイルを用いた誘導加熱方式の定着装置を装着した画像形成装置に関する。
【０００２】
【従来の技術】
従来画像形成装置に装着される定着装置の加熱源には一般的にハロゲンランプが用いられてきたが、近年、省エネルギー化を図るために、例えば特許文献１に示すように高いエネルギー効率を持つ加熱源として誘導コイルを用いた誘導加熱方式の定着装置が提案されている。
【０００３】
この誘導加熱方式で用いられる定着ローラには、誘導コイルにより発生する大きな誘導電流が渦電流として流れるようにしてあり、該誘導コイルはボビン状の支持体に巻かれている。被加熱部材を加熱する際、コイルを支持する部材まで暖められることになり、特許文献２に示すように耐熱性樹脂を使用せざるを得なかった。しかし耐熱性樹脂の中には揮発性有機化合物（以下ＶＯＣ）を発生するものがある。
【０００４】
【特許文献１】
特開２００１−２３５９６４号公報
【０００５】
【特許文献２】
特開２００２−５５５４９号公報
【０００６】
【発明が解決しようとする課題】
このように、被加熱部材を加熱する際、コイルを支持する部材である支持体まで暖められることになり、耐熱性樹脂を使用せざるを得なかった。しかし、耐熱性樹脂の中には揮発性有機化合物（以下ＶＯＣ）を発生するものもあり、これを防止する手段として前記耐熱樹脂をアニール（加熱処理）してＶＯＣを減少させることが出来るが完全に放出することは出来ない。よって環境問題に適していないことが多かった。そこでセラミックやガラスなどを採用するとなると、精度を上げるために多大なコストがかかることになる。
【０００７】
本発明はこのような問題点を解決して低コストでＶＯＣの発生を削減させることのできる定着装置を装着した画像形成装置を提供することを課題目的にする。
【０００８】
【課題を解決するための手段】
この目的は次の（１）〜（７）の何れかの技術手段によって達成される。
【０００９】
（１）  誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記誘導コイルの前記支持体は耐熱性樹脂の基体の外側の表面又は、外側及び内側の両方の表面に揮発性有機化合物（ＶＯＣ）を吸収する材料のシートを被せて構成されることを特徴とする画像形成装置。
【００１０】
（２）  誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記誘導コイルの前記支持体は耐熱性樹脂の基体の外側の表面又は、外側及び内側の両方の表面に揮発性有機化合物（ＶＯＣ）を吸収する材料のコートをして構成されることを特徴とする画像形成装置。
【００１１】
（３）  誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記定着装置を収納する筐体の内側の表面又は、内側及び外側の両方の表面に揮発性有機化合物（ＶＯＣ）を吸収するシートを被せたことを特徴とする画像形成装置。
【００１２】
（４）  誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記誘導コイルの前記支持体は耐熱性樹脂の基体の外側の表面又は、外側及び内側の両方の表面に揮発性有機化合物（ＶＯＣ）を吸収する材料のシートを被せて構成されると共に、前記定着装置を収納する筐体の内側の表面又は、内側及び外側の両方の表面に揮発性有機化合物（ＶＯＣ）を吸収するシートを被せたことを特徴とする画像形成装置。
【００１３】
（５）  誘導電流により発熱する中空回転体である加熱部材と、該加熱部材に対し圧接しニップ部を形成する加圧部材と、前記加熱部材に供給する磁束を発生させるために該加熱部材の内側に同心に配置されたコア及び支持体と、該支持体にスパイラルに巻かれた誘導コイルとを有し、前記ニップ部を通過する転写材を該加熱部材からの熱で加熱する誘導加熱型の定着装置を備えた画像形成装置であって、前記誘導コイルの前記支持体は耐熱性樹脂の基体の外側の表面又は、外側及び内側の両方の表面に揮発性有機化合物（ＶＯＣ）を吸収する材料のコートをして構成されると共に、前記定着装置を収納する筐体の内側の表面又は、内側及び外側の両方の表面に揮発性有機化合物（ＶＯＣ）を吸収するシートを被せたことを特徴とする画像形成装置。
【００１４】
（６）  前記揮発性有機化合物（ＶＯＣ）を吸収する材料のシートは前記支持体に巻かれた誘導コイルの表面にも被せられることを特徴とする（１）〜（５）項の何れか１項に記載の画像形成装置。
【００１５】
（７）  前記揮発性有機化合物（ＶＯＣ）を吸収する材料のシートは、ポリテトラフルオロエチレン（ＰＴＦＥ）又はパーフルオロアルコキシアルカン（ＰＦＡ）の１０〜１００μｍのシートの表面に消石灰をベースとした無機材料（固形換算：８割以上）を水性エマルション化した無機系水性塗料を塗工したものであることを特徴とする（１）、（３）、（４）、（５）及び（６）項の何れか１項に記載の画像形成装置。
【００１６】
【発明の実施の形態】
以下、本発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１７】
図１に示す画像形成装置の概略説明図は、デジタル方式による画像形成装置１の概要を記したものであって、画像読取り部Ａ、画像処理部Ｂ、画像形成部Ｃ、転写材搬送手段としての転写材搬送部Ｄから構成されている。
【００１８】
画像読取り部Ａの上部には原稿を自動搬送する自動原稿送り手段が設けられていて、原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【００１９】
一方、プラテンガラス１３上に置かれた場合の原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【００２０】
読み取られた画像は、投影レンズ１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルタ処理などの処理が施された後、画像データは一旦メモリに記憶される。
【００２１】
画像形成部Ｃでは、画像形成ユニットとして、像担持体であるドラム状の感光体２１と、その外周に、該感光体２１を帯電させる帯電手段２２、帯電した感光体の表面電位を検出する電位検出手段２２０、現像手段２３、転写分離手段である転写極２４及び分離極２５、前記感光体２１のクリーニング装置２６及び光除電手段としてのＰＣＬ（プレチャージランプ）２７が各々動作順に配置されている。また、現像手段２３の下流側には感光体２１上に現像されたパッチ像の反射濃度を測定する反射濃度検出手段２２２が設けられている。感光体２１は、光導電性化合物をドラム基体上に塗布形成したもので、例えば有機感光体（ＯＰＣ）が好ましく使用され、図示の時計方向に駆動回転される。
【００２２】
回転する感光体２１へは帯電手段２２による一様帯電がなされた後、像露光手段としての露光光学系３０により画像処理部Ｂのメモリから呼び出された画像信号に基づいた像露光が行われる。書き込み手段である像露光手段としての露光光学系３０は図示しないレーザーダイオードを発光光源とし、回転するポリゴンミラー３１、ｆθレンズ３４、シリンドリカルレンズ３５を経て反射ミラー３２により光路が曲げられ主走査がなされるもので、感光体２１に対してＡｏの位置において像露光が行われ、感光体２１の回転（副走査）によって潜像が形成される。本実施の形態の一例では文字部に対して露光を行い潜像を形成する。
【００２３】
感光体２１上の潜像は現像手段２３によって反転現像が行われ、感光体２１の表面に可視像のトナー像が形成される。転写材搬送部Ｄでは、画像形成ユニットの下方に異なるサイズの転写材Ｐが収納された転写材収納手段としての給紙ユニット４１（Ａ）、４１（Ｂ）、４１（Ｃ）が設けられ、また側方には手差し給紙を行う手差し給紙ユニット４２が設けられていて、それらの何れかから選択された転写材Ｐは案内ローラ４３によって搬送路４０に沿って給紙され、給紙される転写材Ｐの傾きと偏りの修正を行うレジストローラ対４４によって転写材Ｐは一時停止を行ったのち再給紙が行われ、搬送路４０、転写前ローラ４３ａ、給紙経路４６及び進入ガイド板４７に案内され、感光体２１上のトナー画像が転写位置Ｂｏにおいて転写極２４及び分離極２５によって転写材Ｐ上に転写され、搬送ベルト装置４５の搬送ベルト４５４に載置搬送されながら前記転写材Ｐは感光体２１面より分離し、前記搬送ベルト装置４５により定着手段としての誘導加熱型の定着装置５０に搬送される。
【００２４】
定着装置５０は加熱源を持つ、回転体加熱部材としての定着ローラ５１と加圧部材としての加圧ローラ５９とを有しており、転写材Ｐを定着ローラ５１と加圧ローラ５９との間を通過させることにより、加熱、加圧によってトナーを定着させる。トナー画像の定着を終えた転写材Ｐは搬送ローラ６１，６３によって排紙トレイ６４上に排出される。
【００２５】
以上は転写材Ｐの片側への画像形成を行う状態を説明したものであるが、両面複写の場合は排紙切換部材１７０が切り換わり、用紙案内部１７７が開放され、用紙としての転写材Ｐは破線矢印の方向に搬送される。
【００２６】
更に、搬送機構１７８により用紙としての転写材Ｐは下方に搬送され、用紙反転部１７９によりスイッチバックさせられ、用紙としての転写材Ｐの後端部は先端部となって両面複写用給紙ユニット１３０内に搬送される。
【００２７】
転写材Ｐは両面複写用給紙ユニット１３０に設けられた搬送ガイド１３１を給紙方向に移動し、給紙ローラ１３２で転写材Ｐを再給紙し、転写材Ｐを搬送路４０に案内する。
【００２８】
再び、上述したように感光体２１の方向に転写材Ｐを搬送し、転写材Ｐの裏面にトナー画像を転写し、定着装置５０で定着した後、排紙トレイ６４上に排紙する。
【００２９】
第１の実施の形態は、誘導電流により発熱する中空回転体である加熱部材５１と、該加熱部材５１に対し圧接しニップ部を形成する加圧部材５９と、前記加熱部材５１に供給する磁束を発生させるために該加熱部材５１の内側に中心軸５２０Ｃに同心に配置されたコア５５及び支持体５２０と、該支持体５２０にスパイラルに巻かれた誘導コイル５２とを有し、前記ニップ部を通過する転写材Ｐを該加熱部材５１からの熱で加熱する誘導加熱型の定着装置５０を備えた図１に示す画像形成装置１であって、図２の断面図及び図３の斜視図に示すように、前記誘導コイル５２の前記支持体５２０は耐熱性樹脂の基体５２１の表面に揮発性有機化合物（ＶＯＣ）を吸収する材料のシート５２２を被せて構成されるようにしてある。また、図２に示すように基体５２１の内側にも同様な材料のシート５２２Ａを貼り付けて被せることが好ましい。
【００３０】
これによって、少なくとも、耐熱性樹脂から発生するＶＯＣ放出を削減することが可能になり、耐熱性樹脂から発生するＶＯＣ放出を削減できる。
【００３１】
第２の実施の形態は、誘導電流により発熱する中空回転体である加熱部材５１と、該加熱部材５１に対し圧接しニップ部を形成する加圧部材５９と、前記加熱部材５１に供給する磁束を発生させるために該加熱部材５１の内側に中心軸５２０Ｃに同心に配置されたコア５５及び支持体５２０と、該支持体５２０にスパイラルに巻かれた誘導コイル５２とを有し、前記ニップ部を通過する転写材Ｐを該加熱部材５１からの熱で加熱する誘導加熱型の定着装置５０を備えた図１に示す画像形成装置１であって、図２の断面図及び図４の斜視図に示すように、前記誘導コイル５２の前記支持体５２０は耐熱性樹脂の基体５２１の外周部の表面に揮発性有機化合物（ＶＯＣ）を吸収する材料としてガラスのコート５２３をして構成されるようにしてある。また、基体５２１の内側にも同様な材料のコート５２３Ａがなされるのが好ましい。
【００３２】
これによって、少なくとも、耐熱性樹脂から発生するＶＯＣ放出を削減することが可能になり、耐熱性樹脂から発生するＶＯＣ放出を削減できる。
【００３３】
第３の実施の形態は、誘導電流により発熱する中空回転体である加熱部材５１と、該加熱部材５１に対し圧接しニップ部を形成する加圧部材５９と、前記加熱部材５１に供給する磁束を発生させるために該加熱部材５１の内側に同心に配置されコア５５を内蔵する支持体５２０Ｂに軸方向にスパイラルに巻かれた誘導コイル５２Ｂとを有し、前記ニップ部を通過する転写材Ｐを該加熱部材５１からの熱で加熱する誘導加熱型の定着装置５０を備えた図１に示す画像形成装置１であって、図５の軸を含む断面図及び図６の軸直角断面図に示すように、前記支持体５２０Ｂは耐熱樹脂の基体５２１Ｂの外周部の表面に揮発性有機化合物（ＶＯＣ）を吸収するシート５２２Ｂを被せるか、ガラスのコート５２３Ｂがなされている。また図に示すように支持体の表面全面にシート５２２Ｂが被されているか、ガラスのコート５２３Ｂがなされていることが好ましい。
【００３４】
第４の実施の形態は、誘導電流により発熱する中空回転体である加熱部材５１と、該加熱部材５１に対し圧接しニップ部を形成する加圧部材５９と、前記加熱部材５１に供給する磁束を発生させるために該加熱部材５１の内側に同心に配置されコア５５を内蔵する支持体５２０Ｂにスパイラルに巻かれた誘導コイル５２Ｂとを有し、前記ニップ部を通過する転写材Ｐを該加熱部材５１からの熱で加熱する誘導加熱型の定着装置５０を備えた図１に示す画像形成装置１であって、図７の模式図に示すように、前記定着装置５０を収納する筐体５０Ａの内側又は外側の表面に揮発性有機化合物（ＶＯＣ）を吸収するシート５２２Ｄを被せるか、ガラスのコート５２３Ｄを施して構成されるようにしてある。
【００３５】
これによって、やむおえず、前記支持体５２０、５２０Ａ、５２０Ｂの耐熱性樹脂から発生するＶＯＣ放出があったとしても、筐体５０Ａから外に出るＶＯＣを削減することが可能になる。そして、ＶＯＣ基準値に達するまでの時間を遅らせることが可能になる。
【００３６】
第１又は第２又は第３の実施の形態に第４の実施の形態を併用するのが第５の実施の形態であり、ＶＯＣ発生削減に対して更により好ましい効果がある。
【００３７】
また、第６の実施の形態は、以上の各実施の形態において、誘導コイル５２及び５２Ｂの上にもＶＯＣを吸収するシートが被されているものであり、より好ましい効果が得られる。
【００３８】
尚、前記揮発性有機化合物（ＶＯＣ）を吸収する材料のシートは、例えば、ポリテトラフルオロエチレン（ＰＴＦＥ）又はパーフルオロアルコキシアルカン（ＰＦＡ）の１０〜１００μｍのシートの表面に消石灰をベースとした無機材料（固形換算：８割以上）を水性エマルション化した無機系水性塗料を塗工して総厚を２００〜５００μｍにしたものである。
【００３９】
【発明の効果】
本発明により、誘導加熱型定着装置を有する画像形成装置における、誘導コイルを巻き付けた耐熱性樹脂の支持体から発生して環境条件を悪化させる揮発性有機化合物の量が大幅に削減されて緩和されるようになり、低コストで安定した環境対策技術が確立した。
【図面の簡単な説明】
【図１】本発明の画像形成装置の全体構成を示す概略説明図である。
【図２】本発明に用いる加熱部材の実施の形態の一例を示す断面図である。
【図３】本発明に用いる加熱部材の誘導コイルの一例を示す斜視図である。
【図４】本発明に用いる別の加熱部材の誘導コイルの一例を示す斜視図である。
【図５】本発明に用いる他の加熱部材の一例の軸を含む断面図である。
【図６】本発明に用いる他の加熱部材の一例の軸直角断面図である。
【図７】本発明に用いる定着装置の筐体の一例を示す模式図である。
【図８】揮発性有機化合物を吸収するシートの構成図である。
【符号の説明】
１  画像形成装置
２１  感光体
２２  帯電手段
２３  現像手段
２４  転写極
２５  分離極
２６  クリーニング装置
３０  露光光学系（露光手段）
４５  搬送ベルト装置
５０  定着装置
５０Ａ  筐体
５１  定着ローラ
５２，５２Ｂ  誘導コイル
５３  高周波電源
５５  コア
５９  加圧ローラ
５２０，５２０Ａ，５２０Ｂ  支持体
５２１，５２１Ｂ  基体
５２２，５２２Ａ，５２２Ｂ，５２２Ｄ  揮発性有機化合物を吸収するシート５２３，５２３Ａ，５２３Ｂ，５２３Ｄ  揮発性有機化合物を吸収する材料のコート
【図１】
2004271684.tif 000003
【図２】
2004271684.tif 000004
【図３】
2004271684.tif 000005
【図４】
2004271684.tif 000006
【図５】
2004271684.tif 000007
【図６】
2004271684.tif 000008
【図７】
2004271684.tif 000009
【図８】
2004271684.tif 000010